(57)【要約】【課題】ＧＰＳ位置情報を使用せず、地図あるいは図面等を持ち歩くことなく携帯電話の電波の受信強度を測定位置に対応させて記録する。【解決手段】携帯電話１の不揮発性メモリ１３に保存したフロア図面２２の画像データと測定目標位置データを利用してディスプレイ６にフロア図面２２の画像と測定目標位置を表示し、この画像を利用してユーザを測定目標位置に導くと共に、測定目標位置に移動したユーザが測定目標位置に相当する画像上の位置にカーソル１６を移動させて手動操作盤５から測定実行指令を入力することで、カーソル１６の現在位置に近接する測定目標位置データと電波強度測定部から読み込んだ電波強度とを対応させて不揮発性メモリ１３に記憶させる。【選択図】図１
2008244891.tif 000002
【特許請求の範囲】
【請求項１】
画像データを記憶するメモリと、
前記メモリに家屋のフロア図面の画像データを入力する画像データ入力手段と、
グラフィック表示が可能なディスプレイと、
マン・マシン・インターフェイスとして機能する手動操作盤と、
携帯電話基地局との通信に使用される電波の受信強度を測定する電波強度測定部と、
前記手動操作盤からの教示モード選択指令を受け、前記メモリに記憶されているフロア図面の画像データに基いて前記ディスプレイに画像を表示すると共に、前記手動操作盤からのカーソル移動指令を受けて前記ディスプレイ上でカーソルを移動させ、前記手動操作盤からの測定目標位置設定指令を受けて前記カーソルの現在位置に対応する画像上の位置を測定目標位置データとして前記メモリに記憶させる測定位置教示手段と、
前記手動操作盤からの測定モード選択指令を受け、前記メモリに記憶されているフロア図面の画像データと測定目標位置データに基いて前記ディスプレイに画像と測定目標位置を表示すると共に、前記手動操作盤からのカーソル移動指令を受けて前記ディスプレイ上でカーソルを移動させ、前記手動操作盤からの測定実行指令を受けると、前記カーソルの現在位置に近接する測定目標位置の測定目標位置データに前記電波強度測定部から読み込んだ電波強度を対応させて前記メモリに記憶させる測定実行手段と、
を備えたことを特徴とする屋内無線品質測定装置。
【請求項２】
画像データを記憶するメモリと、
前記メモリに家屋のフロア図面の画像データを入力する画像データ入力手段と、
グラフィック表示が可能なディスプレイと、
マン・マシン・インターフェイスとして機能する手動操作盤と、
携帯電話基地局との通信に使用される電波の受信強度を測定する電波強度測定部と、
前記手動操作盤からの教示モード選択指令を受け、前記メモリに記憶されているフロア図面の画像データに基いて前記ディスプレイに画像を表示すると共に、前記手動操作盤からのカーソル移動指令を受けて前記ディスプレイ上でカーソルを移動させ、前記手動操作盤からの測定目標位置設定指令を受けて前記カーソルの現在位置に対応する画像上の位置を測定目標位置データとして前記メモリに記憶させる測定位置教示手段と、
前記手動操作盤からの測定モード選択指令を受け、前記メモリに記憶されているフロア図面の画像データと測定目標位置データに基いて前記ディスプレイに画像と測定目標位置を表示すると共に、前記手動操作盤からのカーソル移動指令を受けて前記ディスプレイ上でカーソルを移動させ、カーソルの移動の度に、前記カーソルの現在位置に対応する画像上の位置を移動経路点データとし、該移動経路点データに前記電波強度測定部から読み込んだ電波強度を対応させて前記メモリに記憶させる測定実行手段とを備えたことを特徴とする屋内無線品質測定装置。
【請求項３】
前記メモリが携帯電話の不揮発性メモリによって構成され、
前記画像データ入力手段が前記携帯電話のＣＣＤカメラによって構成され、
前記ディスプレイが前記携帯電話のディスプレイによって構成され、
前記手動操作盤が前記携帯電話の手動操作盤によって構成され、
前記電波強度測定部が前記携帯電話の電波強度測定部によって構成され、
前記測定位置教示手段および前記測定実行手段が前記携帯電話のマイクロプロセッサによって構成されていることを特徴とする請求項１または請求項２記載の屋内無線品質測定装置。
【請求項４】
前記ＣＣＤカメラに代えて、前記携帯電話におけるデータ入力用のインターフェイスを前記画像データ入力手段としたことを特徴とする請求項３記載の屋内無線品質測定装置。
【発明の詳細な説明】
【技術分野】
【０００１】
本発明は、屋内無線品質測定装置の改良に関する。
【背景技術】
【０００２】
近年、カーナビゲーションシステムと汎用型パソコンで発呼制御する携帯電話を利用した車載型の電波品質測定装置が開発され、屋外測定で多く利用されている。
【０００３】
同様に、屋内測定でも汎用型パソコンで制御する携帯電話を利用した電波品質測定を行っていた。
【０００４】
地図サービスやＧＰＳ情報を利用した従来型の屋内無線品質測定装置について図１２を参照して簡単に説明する。
【０００５】
図１２において、屋内無線品質測定装置１００の制御部１０５は、ボタン部１０１の操作によって位置の測定が指示された時にＧＰＳモジュール部１０２及び電界強度測定部１０３で測定された位置情報及び電界強度情報をメモリ部１０４に蓄積する。そして、メモリ部１０４に蓄積された位置情報及び電界強度情報を所定のタイミングでアンテナ部１０６および基地局経由でセンターに送信する。センターは基地局から受信した位置情報と電界強度情報から地図上に電界強度分布を作成する。
【０００６】
ＧＰＳ情報を利用した屋内無線品質測定装置としては、例えば、特許文献１に開示されるような移動体通信電界強度測位システム知られている。
【０００７】
しかしながら、従来の屋内無線品質測定装置においては、次のような課題がある。
【０００８】
第１の課題は、屋内の電界強度を測定する場合は公共の屋内地図サービスがないため地図上に電界強度分布を作成することができない。
【０００９】
また、第２の課題は、屋内フロア測定ではＧＰＳ位置情報が使用できないため、測定位置の検出ができないということである。
【００１０】
また、パソコンを利用して調査ポイントを電波品位測定装置に記憶させ、調査員がフロア平面図を携えて測定作業を行う方法が特許文献２として開示されており、この方法ではＧＰＳ情報は必ずしも必要としないが、地図を携えて測定作業を行わなければならない煩わしさがある。
【００１１】
【特許文献１】特開２００６−２４６０３２号公報（段落００１７，００１８）
【特許文献２】特開２００２−２４６９８８号公報（段落００５６，００５８）
【発明の開示】
【発明が解決しようとする課題】
【００１２】
本発明の課題は、前記従来技術の不都合を改善し、ＧＰＳ位置情報を使用せず、地図あるいは図面等を持ち歩くことなく電波の受信強度を測定位置に対応させて記録することのできる屋内無線品質測定装置を提供することにある。
【課題を解決するための手段】
【００１３】
本発明の屋内無線品質測定装置は、前記課題を達成するため、
画像データを記憶するメモリと、
前記メモリに家屋のフロア図面の画像データを入力する画像データ入力手段と、
グラフィック表示が可能なディスプレイと、
マン・マシン・インターフェイスとして機能する手動操作盤と、
携帯電話基地局との通信に使用される電波の受信強度を測定する電波強度測定部と、
前記手動操作盤からの教示モード選択指令を受け、前記メモリに記憶されているフロア図面の画像データに基いて前記ディスプレイに画像を表示すると共に、前記手動操作盤からのカーソル移動指令を受けて前記ディスプレイ上でカーソルを移動させ、前記手動操作盤からの測定目標位置設定指令を受けて前記カーソルの現在位置に対応する画像上の位置を測定目標位置データとして前記メモリに記憶させる測定位置教示手段と、
前記手動操作盤からの測定モード選択指令を受け、前記メモリに記憶されているフロア図面の画像データと測定目標位置データに基いて前記ディスプレイに画像と測定目標位置を表示すると共に、前記手動操作盤からのカーソル移動指令を受けて前記ディスプレイ上でカーソルを移動させ、前記手動操作盤からの測定実行指令を受けると、前記カーソルの現在位置に近接する測定目標位置の測定目標位置データに前記電波強度測定部から読み込んだ電波強度を対応させて前記メモリに記憶させる測定実行手段と、
を備えたことを特徴とする構成を有する。
【００１４】
以上の構成により、予め、屋内無線品質測定装置の画像データ入力手段を利用して、電波強度の測定対象とする家屋のフロア図面の画像データを屋内無線品質測定装置のメモリに保存しておく。
次いで、マン・マシン・インターフェイスとして機能する手動操作盤を操作することによってユーザが屋内無線品質測定装置の測定位置教示手段に教示モード選択指令を入力すると、屋内無線品質測定装置のモードが教示モードに切り替わり、屋内無線品質測定装置の測定位置教示手段が、前記メモリに記憶されているフロア図面の画像データに基いてディスプレイ上に電波強度の測定対象とする家屋のフロア図面の画像を表示する。
更に、屋内無線品質測定装置の手動操作盤を操作することによってユーザがカーソル移動指令を入力すると、品質測定装置の測定位置教示手段がカーソル移動指令を検知し、前記ディスプレイ上でカーソルを移動させる。ユーザは、電波強度の測定対象とする家屋のフロア図面をディスプレイ上で参照しつつ、電波強度を測定すべき画像上の測定目標位置にカーソルを移動させ、手動操作盤の操作によって品質測定装置に測定目標位置設定指令を入力する。測定目標位置設定指令を受けた品質測定装置の測定位置教示手段はカーソルの現在位置を検知し、カーソルの現在位置に対応する画像上の位置を測定目標位置データとしてメモリに記憶させる。
次いで、電波強度の測定対象とする家屋にユーザが赴いて屋内無線品質測定装置の手動操作盤を操作し、屋内無線品質測定装置の測定実行手段に測定モード選択指令を入力すると、屋内無線品質測定装置のモードが測定実行モードに切り替わり、測定実行手段が、メモリに記憶されているフロア図面の画像データと測定目標位置データに基いてディスプレイ上にフロア図面の画像と測定目標位置を表示する。
ユーザは、電波強度の測定対象とする家屋のフロア図面の画像と画像上の測定目標位置を参照し、家屋の内部を移動する。
そして、測定目標位置に到達したユーザが屋内無線品質測定装置の手動操作盤を操作して自分の現在位置すなわち測定目標位置に相当する画像上の位置にカーソルを移動させ、手動操作盤から測定実行指令を入力すると、測定実行手段が、カーソルの現在位置に近接する測定目標位置の測定目標位置データに電波強度測定部から読み込んだ電波強度を対応させてメモリに記憶させる。
最終的に、屋内無線品質測定装置のメモリに記憶された測定目標位置と電波強度との関係を汎用の無線品質解析ツールに読み込ませ、無線品質解析ツール側の処理で、測定目標位置と電波強度との関係に基いて地図上あるいは図面上に電界強度分布を作成させる。
屋内無線品質測定装置のメモリに保存したフロア図面の画像データと測定目標位置データを利用して屋内無線品質測定装置のディスプレイにフロア図面の画像と測定目標位置を表示し、この画像を利用してユーザを測定目標位置に導くようにしたので、地図や図面等を持ち歩かなくてもユーザを測定目標位置に適切に誘導することができる。しかも、測定目標位置に移動したユーザが測定目標位置に相当する画像上の位置にカーソルを移動させて手動操作盤から測定実行指令を入力することで、カーソルの現在位置に近接する測定目標位置に電波強度測定部から読み込んだ電波強度を対応させてメモリに記憶させるようにしたので、ＧＰＳ位置情報を使用しなくても電波の受信強度を測定位置に対応させて的確に記録することができる。
【００１５】
あるいは、前述した測定実行手段に代えて、前記手動操作盤からの測定モード選択指令を受け、前記メモリに記憶されているフロア図面の画像データと測定目標位置データに基いて前記ディスプレイに画像と測定目標位置を表示すると共に、前記手動操作盤からのカーソル移動指令を受けて前記ディスプレイ上でカーソルを移動させ、カーソルの移動の度に、前記カーソルの現在位置に対応する画像上の位置を移動経路点データとし、該移動経路点データに前記電波強度測定部から読み込んだ電波強度を対応させて前記メモリに記憶させる測定実行手段を設けるようにしてもよい。
【００１６】
このような構成を適用した場合は、まず、前記と同様にして、電波強度の測定対象とする家屋のフロア図面の画像データを屋内無線品質測定装置のメモリに保存し、フロア図面の画像をディスプレイに表示して電波強度を測定すべき画像上の測定目標位置を測定目標位置データとしてメモリに記憶させた後、電波強度の測定対象とする家屋にユーザが赴いて、メモリに記憶されているフロア図面の画像データと測定目標位置データに基いてディスプレイ上にフロア図面の画像と測定目標位置を表示させる。
次いで、ユーザは、電波強度の測定対象とする家屋のフロア図面の画像と画像上の測定目標位置を参照しつつ測定目標位置から測定目標位置へと家屋の内部を移動し、屋内無線品質測定装置の手動操作盤を操作して自分の移動軌跡に沿うようにカーソル移動指令を入力して、品質測定装置の測定実行手段によってディスプレイ上でカーソルを移動させる。
測定実行手段は、カーソル移動の度に、該カーソルの現在位置に対応する画像上の位置を移動経路点データとし、該移動経路点データに前記電波強度測定部から読み込んだ電波強度を対応させてメモリに記憶させる。
従って、予め教示された測定目標位置の他、測定目標位置と測定目標位置との間を補間する何点かの移動経路点毎に電波強度を対応させてメモリに記憶させることができる。
よって、汎用の無線品質解析ツールを必ずしも使用しなくても、屋内無線品質測定装置の機能だけで、地図上あるいは図面上に電界強度分布を作成することができる。
【００１７】
より具体的には、
前記メモリを携帯電話の不揮発性メモリによって構成し、
前記画像データ入力手段を前記携帯電話のＣＣＤカメラによって構成し、
前記ディスプレイを前記携帯電話のディスプレイによって構成し、
前記手動操作盤を前記携帯電話の手動操作盤によって構成し、
前記電波強度測定部を前記携帯電話の電波強度測定部によって構成し、
前記測定位置教示手段および前記測定実行手段が前記携帯電話のマイクロプロセッサによって構成することができる。
【００１８】
一般的な携帯電話の構成を利用して屋内無線品質測定装置の機能を組み込むことにより、開発コストや製造コストの削減が可能である。
【００１９】
また、携帯電話のＣＣＤカメラに代えて、携帯電話におけるデータ入力用のインターフェイスを画像データ入力手段として利用することもできる。
【００２０】
この場合、スキャナで読み込まれたフロア図面の画像や外部メモリに記憶されたフロア図面の画像、更には、パソコンのＣＡＤデータやドローデータ等をラスター化してＧＩＦやＢＭＰに変換したフロア図面の画像を屋内無線品質測定装置の不揮発性メモリに取り込むことができる。
【発明の効果】
【００２１】
本発明の屋内無線品質測定装置は、屋内無線品質測定装置のメモリに保存したフロア図面の画像データと測定目標位置データを利用して屋内無線品質測定装置のディスプレイにフロア図面の画像と測定目標位置を表示し、この画像を利用してユーザを測定目標位置に導くようにしたので、地図や図面等を持ち歩かなくてもユーザを測定目標位置に誘導することができる。
しかも、測定目標位置に移動したユーザが測定目標位置に相当する画像上の位置にカーソルを移動させて手動操作盤から測定実行指令を入力することで、カーソルの現在位置に近接する測定目標位置に電波強度測定部から読み込んだ電波強度を対応させてメモリに記憶させるようにしたので、ＧＰＳ位置情報を使用しなくても電波の受信強度を測定位置に対応させて的確に記録することができる。
【発明を実施するための最良の形態】
【００２２】
次に、本発明を実施するための最良の形態について図面を参照して具体的に説明する。図１は本発明の屋内無線品質測定装置の機能を実装した一実施形態の携帯電話の外観について示した斜視図、また、図２は同実施形態の携帯電話の構成の概略を示したブロック図である。
【００２３】
携帯電話１は、図１に示される通り、主筐体２と副筐体３からなる折り畳み式の携帯電話であり、主筐体２の側に通話用のマイク４とマン・マシン・インターフェイスとして機能する手動操作盤５を備える一方、副筐体３の側にはグラフィック表示が可能なディスプレイ６とスピーカ７およびアンテナ８が設けられ、更に、副筐体３の背面側には、画像データ入力手段として機能するＣＣＤカメラ９が配備されている。
【００２４】
ディスプレイ６は液晶モニタ等によって構成され、電話番号の選択表示や着信履歴等の表示、更には、作成過程にあるメールや受信メールの表示等に利用され、また、ＣＣＤカメラ９を利用した通常の撮影モードにおいては、ＣＣＤカメラ９が捕えている画像の確認等に利用される。
【００２５】
図２に示されるカメラ制御部１０は携帯電話１のマイクロプロセッサ１１からの指令を受けてＣＣＤカメラ９を駆動し、ＣＣＤカメラ９で撮像された画像は、画像処理部１２で色補正等の処理を施されてからマイクロプロセッサ１１に読み込まれ、携帯電話１の不揮発性メモリ１３に格納される。不揮発性メモリ１３には、画像データの他にもメールのテキストデータや登録済電話番号および電子メールアドレス等が記憶される。
【００２６】
従来と同様、携帯電話１を通常の携帯通信端末として使用する際には、マイク４から入力された音声が音声処理部１４でＡ／Ｄ変換されてマイクロプロセッサ１１に転送され、更に、マイクロプロセッサ１１で通信形式データに変換された後、送受信部１５で変調されて伸縮式のアンテナ８を介して外部に送信される。
【００２７】
また、アンテナ８で受信された通信電波は送受信部１５で復調されてマイクロプロセッサ１１に転送され、音声データに変換されてから、音声処理部１４でＤ／Ａ変換等の処理操作を受けてスピーカ７から音声として出力される。
【００２８】
手動操作盤５は、電話番号の入力操作等に利用されるテンキーやディスプレイ６上でカーソル１６を上下左右に移動させるためのカーソル移動キーを備え、更に、携帯電話１が置かれたモードに依存して様々なコマンドを生成するファンクションキーや撮影実行キー等を備える。また、電子メールの作成等に際しては前述のテンキーがテキストデータ入力用のカナキー等としても利用される。
【００２９】
電波強度測定部１７は当該携帯電話１と携帯電話基地局との通信に使用される電波の受信強度を測定するためのもので、携帯電話の構成要素として既に公知である。マイクロプロセッサ１１は電波強度測定部１７が感知する電波の受信強度を定常的にサンプリングし、受信強度の大小や圏外等の情報をディスプレイ６の片隅にリアルタイムで表示するようになっている。
【００３０】
ＲＯＭ１８には、通話や電子メールの送受信さらには画像の撮影ならびに画像の再生等に必要とされる処理を実行するための制御プログラムに加え、本実施形態においては、特に、マイクロプロセッサ１１を屋内無線品質測定装置の測定位置教示手段および測定実行手段として機能させるための制御プログラムが格納されている。
【００３１】
カードスロット１９は、ＳＤメモリカード等の外部メモリを装着するためのもの、また、入出力インターフェイス２０は、データ入力用のインターフェイスであり、ＲＡＭ２１はマイクロプロセッサ１１が演算処理を行う際にデータの一時記憶に用いるものであって、何れも携帯電話の構成要素として公知である。
【００３２】
以上に述べた通り、携帯電話１のハードウェア上の構成に関しては従来のものと同様である。
【００３３】
この実施形態においては、更に、携帯電話１のＣＣＤカメラ９が家屋のフロア図面の画像データを入力するための画像データ入力手段として機能し、携帯電話１の不揮発性メモリ１３が、フロア図面の画像データを記憶するメモリとして機能する。
【実施例１】
【００３４】
図３〜図７は携帯電話１を屋内無線品質測定装置として作動させた場合のマイクロプロセッサ１１の処理動作の概略について示したフローチャートである。
【００３５】
次に、図３〜図７を参照して測定位置教示手段および測定実行手段として機能するマイクロプロセッサ１１の処理動作について具体的に説明する。
【００３６】
なお、電波強度の測定対象とする家屋のフロア図面としては、例えば、図１１に示されるようなフロア図面２２（平面図）が予め準備されているものとする。
【００３７】
マイクロプロセッサ１１は、手動操作盤５のファンクションキーの操作による図面取込モード選択指令の入力の有無（ステップａ１）、手動操作盤５のファンクションキーの操作による教示モード選択指令の入力の有無（ステップａ２）、手動操作盤５のファンクションキーの操作による測定モード選択指令の入力の有無（ステップａ３）、手動操作盤５のファンクションキーの操作によるモニタモード選択指令の入力の有無（ステップａ４）を定常的に見張っており、これらの選択指令の入力が検知されなければ、電話の送受話やメールの作成あるいは送受信等に関わる通常処理のみを従来と同様にして繰り返し実行する（ステップａ５）。
【００３８】
そこで、まず、図１１に示されるようなフロア図面２２を準備したユーザが手動操作盤５のファンクションキーを操作して図面取込モード選択指令を携帯電話１に入力すると、マイクロプロセッサ１１はステップａ１の判定処理で図面取込モード選択指令の入力を検知し、図面取込モードの処理に移行する。
【００３９】
図面取込モードの処理に移行したマイクロプロセッサ１１は、まず、手動操作盤５の撮影実行キーが操作されているか否かを判定し（ステップａ６）、撮影実行キーの操作が検知されなければ、更に、図面取込モードから通常処理に戻るための終了キーの操作が手動操作盤５上で行われているか否かを判定し（ステップａ１０）、終了キーの操作も検知されなければ、ステップａ６，ステップａ１０の判定処理のみを繰り返し実行して、ユーザによる撮影実行キーの操作や終了キーの操作を待機する。
【００４０】
次いで、ユーザがＣＣＤカメラ９のレンズをフロア図面２２に向けて手動操作盤５の撮影実行キーを操作すると、マイクロプロセッサ１１はステップａ６の判定処理で撮影実行キーの操作を検知し、ＣＣＤカメラ９を作動させて画像の取り込みを行い（ステップａ７）、このフロア図面２２に対してユーザが図面名を設定するのを待つ待機状態に入る（ステップａ８）。
【００４１】
そして、ユーザが手動操作盤５を操作して図面名を設定すると、マイクロプロセッサ１１は、この図面名とステップａ７の処理で取り込まれた画像とを対応させて不揮発性メモリ１３に記憶させる（ステップａ９）。
【００４２】
ユーザは、前記と同様にしてステップａ６〜ステップａ９の処理を繰り返しマイクロプロセッサ１１に実行させることで、必要な枚数のフロア図面を取り込み、その各々に対して個別の図面名を設定して不揮発性メモリ１３に記憶させることが可能である。
【００４３】
ユーザは、必要な枚数のフロア図面の取り込みと図面名の設定が完了した段階で手動操作盤５の終了キーを操作し、図面取込モードの終了をマイクロプロセッサ１１に対して宣言する。
【００４４】
マイクロプロセッサ１１はステップａ１０の判定処理で終了キーの操作を検知し、図面取込モードの処理を終えて、ステップａ１〜ステップａ４の判定処理とステップａ５の通常処理のみを繰り返し実行する初期の待機状態に復帰する。
【００４５】
なお、フロア図面を不揮発性メモリ１３に記憶させる処理は必ずしもＣＣＤカメラ９を作動させて行なう必要はなく、例えば、スキャナで読み込まれたフロア図面の画像や外部メモリに記憶されたフロア図面の画像、更には、パソコンのＣＡＤデータやドローデータ等をラスター化してＧＩＦやＢＭＰに変換したフロア図面の画像を、図面名と共に入出力インターフェイス２０やカードスロット１９を経由して不揮発性メモリ１３に取り込むといったことでも実現可能である。
【００４６】
次いで、ユーザが手動操作盤５のファンクションキーの操作によって教示モード選択指令をマイクロプロセッサ１１に入力すると、マイクロプロセッサ１１はステップａ２の判定処理で教示モード選択指令の入力を検知し、教示モードの処理に移行する。
【００４７】
教示モードの処理に移行したマイクロプロセッサ１１は、まず、不揮発性メモリ１３に記憶されている図面名の一覧をディスプレイ６上に表示し（ステップａ１１）、ユーザによる手動操作盤５の操作によって何れかの図面名が選択されるのを待つ待機状態に入る（ステップａ１２）。
【００４８】
そして、ユーザが手動操作盤５を操作して何れかの図面名を選択すると、マイクロプロセッサ１１はステップａ１２の判定処理で図面名の選択操作を検知し、発呼試行回数，通話時間，発信間隔，発信先等の測定条件が手動操作盤５の操作によってユーザから入力されるまで待機し（ステップａ１３）、測定条件が入力されると、これらの測定条件を選択中の図面名に対応させて不揮発性メモリ１３に記憶させる（ステップａ１４）。
【００４９】
次いで、測定位置教示手段として機能するマイクロプロセッサ１１が不揮発性メモリ１３から選択中の図面名に対応するフロア図面の画像データを読み出し、例えば、図１に示されるようにしてディスプレイ６上にカーソル１６と共に表示する（ステップａ１５）。
【００５０】
そして、マイクロプロセッサ１１は、手動操作盤５のカーソル移動キーが操作されているか否かを判定し（ステップａ１６）、カーソル移動キーが操作されていなければ、更に、手動操作盤５のプロット指令キーが操作されているか否かを判定する（ステップａ１８）。そして、プロット指令キーが操作されていなければ、更に、手動操作盤５の終了キーが操作されているか否かを判定し（ステップａ２２）、何れのキーも操作されていなければ、ステップａ１６，ステップａ１８，ステップａ２２の判定処理のみを繰り返し実行して、何れかのキーが操作されるのを待機する。
【００５１】
ここで、ユーザが手動操作盤５のカーソル移動キーを操作すると、測定位置教示手段として機能するマイクロプロセッサ１１がステップａ１６の判定処理でカーソル移動キーの操作を検知し、カーソル移動キーの操作に応じてディスプレイ６上でカーソル１６を上下左右に移動させる（ステップａ１７）。
【００５２】
ユーザは電波強度の測定対象とする家屋のフロア図面２２をディスプレイ６上で参照しつつ手動操作盤５のカーソル移動キーを操作し、電波強度を測定すべき画像上の測定目標位置にカーソル１６を移動させた後、手動操作盤５のプロット指令キーを操作して、測定目標位置設定指令をマイクロプロセッサ１１に入力する。
【００５３】
測定位置教示手段として機能するマイクロプロセッサ１１はステップａ１８の判定処理で測定目標位置設定指令の入力を検知し、カーソル１６の現在位置に対応する画像上の位置を測定目標位置データとして選択中の図面名に対応させて不揮発性メモリ１３に記憶させると共に（ステップａ１９）、画像上のカーソル位置に対応させて画像データそれ自体に測定点マーカーを書き込み（ステップａ２０）、測定点マーカーを書き込んだ画像を不揮発性メモリ１３に上書きして記憶させる（ステップａ２１）。
【００５４】
電波強度を測定すべき測定目標位置の設定個数は任意であり、ユーザは、前記と同様にしてステップａ１６〜ステップａ２１の処理をマイクロプロセッサ１１に繰り返し実行させることで、必要な数の測定目標位置データおよび測定点マーカーを選択中のフロア図面の図面名に対応させて不揮発性メモリ１３に記憶させることができる。図１１ではフロア図面２２に４つの測定点マーカーＰ１（Ｘ１，Ｙ１），Ｐ２（Ｘ２，Ｙ２），Ｐ３（Ｘ３，Ｙ３），Ｐ４（Ｘ４，Ｙ４）を書き込んだ場合について例示している。
【００５５】
ユーザは、必要な数の測定目標位置データおよび測定点マーカーを教示操作によって不揮発性メモリ１３に記憶させた後、手動操作盤５の終了キーを操作して、教示モードの終了をマイクロプロセッサ１１に対して宣言する。
【００５６】
マイクロプロセッサ１１はステップａ２２の判定処理で終了キーの操作を検知し、教示モードの処理を終えて、ステップａ１〜ステップａ４の判定処理とステップａ５の通常処理のみを繰り返し実行する初期の待機状態に復帰する。
【００５７】
フロア図面２２の準備や画像の取り込み、および、測定目標位置の教示に関わる作業は何処で行っても構わないが、電波強度の測定対象とする家屋に赴く際にフロア図面２２を持参するのは面倒であるから、図面取込モードや教示モードの処理は、電波強度の測定対象とする家屋に赴く前に済ませておくことが望ましい。
【００５８】
その後、ユーザは、この携帯電話１を携えて電波強度の測定対象とする家屋に赴く。
【００５９】
そして、測定対象とする家屋に到着したユーザが、手動操作盤５のファンクションキーの操作によって測定モード選択指令をマイクロプロセッサ１１に入力すると、マイクロプロセッサ１１はステップａ３の判定処理で測定モード選択指令の入力を検知し、測定モードの処理に移行する。
【００６０】
測定モードの処理に移行したマイクロプロセッサ１１は、まず、不揮発性メモリ１３に記憶されている図面名の一覧をディスプレイ６上に表示し（ステップａ２３）、ユーザによる手動操作盤５の操作によって何れかの図面名が選択されるのを待つ待機状態に入る（ステップａ２４）。
【００６１】
そして、ユーザが手動操作盤５を操作して電波強度の測定対象とする家屋、つまり、現時点で目の前にしている家屋に対応した図面名を選択すると、マイクロプロセッサ１１はステップａ２４の判定処理で図面名の選択操作を検知し、測定実行手段として機能するマイクロプロセッサ１１が、不揮発性メモリ１３から選択中の図面名に対応するフロア図面の画像データを読み出し、例えば、図１に示されるようにしてディスプレイ６上に測定点マーカーやカーソル１６と共に表示する（ステップａ２５）。
【００６２】
そして、マイクロプロセッサ１１は、選択中の図面名に対応して記憶された測定条件と測定目標位置データを不揮発性メモリ１３から読み出し（ステップａ２６）、手動操作盤５の測定開始キーが操作されるのを待つ待機状態に入る（ステップａ２７）。
【００６３】
その後、ユーザが手動操作盤５の測定開始キーを操作して測定の開始をマイクロプロセッサ１１に宣言すると、マイクロプロセッサ１１はステップａ２７の判定処理で測定開始キーの操作を検知し、ステップａ２６の処理で読み出された測定条件に従って送受信部１５を駆動制御して携帯電話１からの発呼を開始する（ステップａ２８）。
【００６４】
次いで、マイクロプロセッサ１１は、手動操作盤５のカーソル移動キーが操作されているか否かを判定し（ステップａ２９）、カーソル移動キーが操作されていなければ、更に、手動操作盤５の測定実行キーが操作されているか否かを判定する（ステップａ３１）。そして、測定実行キーが操作されていなければ、更に、手動操作盤５の終了キーが操作されているか否かを判定し（ステップａ３５）、何れのキーも操作されていなければ、ステップａ２９，ステップａ３１，ステップａ３５の判定処理のみを繰り返し実行して、何れかのキーが操作されるのを待機する。
【００６５】
ここで、ユーザが手動操作盤５のカーソル移動キーを操作すると、測定実行手段として機能するマイクロプロセッサ１１がステップａ２９の判定処理でカーソル移動キーの操作を検知し、カーソル移動キーの操作に応じてディスプレイ６上でカーソル１６を上下左右に移動させる（ステップａ３０）。
【００６６】
ユーザは電波強度の測定対象とする家屋のフロア図面２２の画像と当該画像上の測定点マーカーをディスプレイ６上で参照しつつ家屋の内部を移動して、何れかの測定目標位置、例えば、図１１中のＰ１，Ｐ２，Ｐ３，Ｐ４で示される何れかの測定目標位置に辿り着く。
【００６７】
次いで、測定目標位置に到達したユーザは、手動操作盤５を操作して自分の現在位置すなわち何れかの測定目標位置に相当する画像上の位置にカーソル１６を移動させた後、手動操作盤５の測定実行キーを操作して、測定実行指令をマイクロプロセッサ１１に入力する。
【００６８】
測定実行手段として機能するマイクロプロセッサ１１はステップａ３１の判定処理で測定実行指令の入力を検知し、カーソル１６の現在位置を読み込んで、カーソル１６の現在位置がステップａ２６の処理で読み出された何れかの測定目標位置データのインポジション幅内に入っているか否かを判定する（ステップａ３２）。
【００６９】
そして、カーソル１６の現在位置が何れかの測定目標位置データのインポジション幅内に入っていれば、測定実行手段として機能するマイクロプロセッサ１１は、現時点で電波強度測定部１７が検知している電波の受信強度を読み込み（ステップａ３３）、カーソル１６の現在位置に最も近接した位置の測定目標位置データに対応させて、現時点における電波の受信強度を不揮発性メモリ１３に記憶させる（ステップａ３４）。例えば、図１１に示されるように、測定目標位置Ｐ１の位置に合わせるべきカーソル１６の位置がＰ１’の位置までずれていたとしても、そのずれがインポジション幅の範囲に入っていれば、電波強度測定部１７が現時点で検知している電波の受信強度がフロア図面２２の測定目標位置Ｐ１に対応して不揮発性メモリ１３に記憶されることになる。但し、カーソル１６の位置はＧＰＳ情報のようにユーザの現在位置それ自体を表すものではなく、飽くまでも、ユーザが正しいと信じているユーザの現在位置を手動操作によって設定したものに過ぎない。従って、ユーザは、家屋内の状況を適切に判断してディスプレイ６上のフロア図面２２の画像と見比べ、本来の測定目標位置に正しく移動して、その位置にカーソル１６を移動させて測定実行キーを操作する必要がある。
【００７０】
なお、ステップａ３２の判定結果が偽となった場合には、カーソル１６による測定目標位置の選択操作が著しく不正確であることを意味するので、ステップａ３３〜ステップａ３４の処理は非実行とされる。この場合、ユーザは、改めてカーソル移動キーの操作でカーソル１６を移動させ、測定目標位置を表す測定点マーカーの近傍にカーソル１６を位置決めする必要がある。
【００７１】
ユーザは、電波強度の測定対象とする家屋のフロア図面２２の画像と当該画像上の測定点マーカーをディスプレイ６上で参照しつつ家屋の内部を移動し、予め教示された測定目標位置の各々に移動して前記と同様にしてステップａ２９〜ステップａ３４の処理操作をマイクロプロセッサ１１に繰り返し実行させ、測定目標位置の全て、例えば、図１１中のＰ１，Ｐ２，Ｐ３，Ｐ４の各々で電波の受信強度を測定し、これらのデータを図面名および測定目標位置データに対応させて不揮発性メモリ１３に記憶させた後、手動操作盤５の終了キーを操作して、測定モードの終了をマイクロプロセッサ１１に対して宣言する。
【００７２】
マイクロプロセッサ１１はステップａ３５の判定処理で終了キーの操作を検知し、測定モードの処理を終えて、ステップａ１〜ステップａ４の判定処理とステップａ５の通常処理のみを繰り返し実行する初期の待機状態に復帰する。
【００７３】
最終的に、携帯電話１の不揮発性メモリ１３に記憶された各図面名毎の測定目標位置データと電波強度との関係、例えば、フロア図面２２に対応して記憶された（測定位置Ｐ１，電波強度Ｓ１），（測定位置Ｐ２，電波強度Ｓ２），（測定位置Ｐ３，電波強度Ｓ３），（測定位置Ｐ４，電波強度Ｓ４）等を入出力インターフェイス２０あるいはカードスロット１９に接続されたＳＤメモリカード等を経由して汎用の無線品質解析ツールに読み込ませ、従来と同様に、無線品質解析ツール側の処理で、測定目標位置と電波強度との関係に基いてフロア図面２２上あるいは他の図面上に電界強度分布を作成させる。
あるいは、携帯電話１が有するパケット通信機能を利用して各図面名毎の測定目標位置データと電波強度との関係を汎用の無線品質解析ツールに読み込ませるようにしてもよい。
【００７４】
なお、この実施形態の携帯電話１においては、携帯電話１のみを利用して測定目標位置データと電波強度との対応関係を確認することも可能である。
【００７５】
測定目標位置データと電波強度との対応関係を携帯電話１上で確認する場合、ユーザは、手動操作盤５のファンクションキーの操作によってモニタモード選択指令をマイクロプロセッサ１１に入力する。
【００７６】
マイクロプロセッサ１１はステップａ４の判定処理でモニタモード選択指令の入力を検知してモニタモードの処理に移行する。
【００７７】
モニタモードの処理に移行したマイクロプロセッサ１１は、まず、不揮発性メモリ１３に記憶されている図面名の一覧をディスプレイ６上に表示し（ステップａ３６）、ユーザによる手動操作盤５の操作によって何れかの図面名が選択されるのを待つ待機状態に入る（ステップａ３７）。
【００７８】
そして、ユーザが手動操作盤５を操作し、測定目標位置データと電波強度との対応関係を確認しようとする家屋に対応したフロア図面の図面名を選択すると、マイクロプロセッサ１１はステップａ３７の判定処理で図面名の選択操作を検知し、選択中の図面名に対応するフロア図面の画像データと選択中の図面名に対応して記憶された測定目標位置データを不揮発性メモリ１３から読み出して、フロア図面の画像をディスプレイ６上に測定点マーカーやカーソル１６と共に表示する（ステップａ３８）。
【００７９】
次いで、マイクロプロセッサ１１は、手動操作盤５のカーソル移動キーが操作されているか否かを判定し（ステップａ３９）、カーソル移動キーが操作されていなければ、更に、手動操作盤５の終了キーが操作されているか否かを判定し（ステップａ４３）、何れのキーも操作されていなければ、ステップａ３９，ステップａ４３の判定処理のみを繰り返し実行して、何れかのキーが操作されるのを待機する。
【００８０】
ここで、ユーザが手動操作盤５のカーソル移動キーを操作すると、マイクロプロセッサ１１がステップａ３９の判定処理でカーソル移動キーの操作を検知し、カーソル移動キーの操作に応じてディスプレイ６上でカーソル１６を上下左右に移動させ（ステップａ４０）、カーソル１６の移動の度に、カーソル１６の現在位置がステップａ３８の処理で読み出された何れかの測定目標位置データのインポジション幅内に入っているか否かを判定する（ステップａ４１）。
【００８１】
そして、カーソル１６の現在位置が何れかの測定目標位置データのインポジション幅内に入っていれば、マイクロプロセッサ１１は、この測定目標位置データに対応して記憶されている電波強度のデータを不揮発性メモリ１３から読み出して、ディスプレイ６上に数値情報として表示する（ステップａ４２）。
【００８２】
ユーザは、ディスプレイ６上でカーソル１６を様々な位置に移動させることで、カーソル現在位置に直近する位置の測定目標位置データに対応した電波強度の測定値をディスプレイ６上に表示させて適宜に参照することが可能である。
【００８３】
そして、ユーザが手動操作盤５の終了キーを操作すると、マイクロプロセッサ１１はステップａ４３の判定処理で終了キーの操作を検知し、モニタモードの処理を終えて、ステップａ１〜ステップａ４の判定処理とステップａ５の通常処理のみを繰り返し実行する初期の待機状態に復帰する。
【００８４】
以上に述べた通り、この実施形態では、電波強度の測定対象とする家屋のフロア図面２２の画像データと教示操作によって設定された測定目標位置データを携帯電話１の不揮発性メモリ１３に予め保存しておき、この携帯電話１を持って電波強度の測定対象とする家屋に赴いたユーザを、携帯電話１のディスプレイ６に表示されるフロア図面２２の画像と測定目標位置を表す測定点マーカーで適切な測定目標位置に導くようにしているので、ユーザは地図や図面等を持ち歩かなくても測定目標位置に的確に到達することができる。
【００８５】
しかも、測定目標位置に移動したユーザが測定目標位置に相当する画像上の位置にカーソル１６を移動させて手動操作盤５から測定実行指令を入力することで、カーソル１６の現在位置に近接する測定目標位置と電波強度測定部１７から読み込んだ電波強度とを対応させて不揮発性メモリ１３に記憶させるようにしているので、ＧＰＳ位置情報を使用しなくても、予め決められた測定位置に対応させて電波の受信強度を的確に記録することができる。
【実施例２】
【００８６】
次に、電波強度の測定対象とする家屋にユーザが赴いた時点で不揮発性メモリ１３に記憶されている当該家屋のフロア図面の画像データと測定目標位置データをディスプレイ６上に表示させた後、手動操作盤５からのカーソル移動指令の入力によってディスプレイ６上でカーソル１６を移動させ、カーソル１６の移動の度に、カーソル１６の現在位置に対応する画像上の位置を移動経路点データとして不揮発性メモリ１３に記憶させ、更に、この移動経路点データに対応させて、電波強度測定部１７から読み込んだ電波強度を不揮発性メモリ１３に記憶させるようにした携帯電話（屋内無線品質測定装置）１の実施形態について簡単に説明する。
【００８７】
携帯電話１のハードウェア構成は前述した実施形態と同様である。また、フロア図面２２の準備や画像の取り込み、および、測定目標位置の教示に関わる作業と処理操作は先述した実施形態におけるステップａ１〜ステップａ１０の処理と同様であるから、これらの点に関しては説明を省略する。
【００８８】
図８〜図１０は本実施形態における測定位置教示手段および測定実行手段として機能するマイクロプロセッサ１１の処理動作について示したフローチャートである。
【００８９】
ユーザが手動操作盤５のファンクションキーの操作によって教示モード選択指令をマイクロプロセッサ１１に入力すると、マイクロプロセッサ１１は前述した実施形態の場合と同様にして教示モード選択指令の入力を検知し、教示モードの処理に移行する。
【００９０】
教示モードの処理に移行したマイクロプロセッサ１１は、不揮発性メモリ１３に記憶されている図面名の一覧をディスプレイ６上に表示し（ステップｂ１）、ユーザによる手動操作盤５の操作によって何れかの図面名が選択されるのを待つ待機状態に入る（ステップｂ２）。
【００９１】
そして、ユーザが手動操作盤５を操作して何れかの図面名を選択すると、マイクロプロセッサ１１はステップｂ２の判定処理で図面名の選択操作を検知し、発呼試行回数，通話時間，発信間隔，発信先等の測定条件が手動操作盤５の操作によってユーザから入力されるまで待機し（ステップｂ３）、測定条件が入力されると、これらの測定条件を選択中の図面名に対応させて不揮発性メモリ１３に記憶させる（ステップｂ４）。
【００９２】
次いで、測定位置教示手段として機能するマイクロプロセッサ１１が不揮発性メモリ１３から選択中の図面名に対応するフロア図面の画像データを読み出し、例えば、図１に示されるようにしてディスプレイ６上にカーソル１６と共に表示する（ステップｂ５）。
【００９３】
そして、マイクロプロセッサ１１は、手動操作盤５のカーソル移動キーが操作されているか否かを判定し（ステップｂ６）、カーソル移動キーが操作されていなければ、更に、手動操作盤５のプロット指令キーが操作されているか否かを判定する（ステップｂ８）。そして、プロット指令キーが操作されていなければ、更に、手動操作盤５の終了キーが操作されているか否かを判定し（ステップｂ１１）、何れのキーも操作されていなければ、ステップｂ６，ステップｂ８，ステップｂ１１の判定処理のみを繰り返し実行して、何れかのキーが操作されるのを待機する。
【００９４】
ここで、ユーザが手動操作盤５のカーソル移動キーを操作すると、測定位置教示手段として機能するマイクロプロセッサ１１がステップｂ６の判定処理でカーソル移動キーの操作を検知し、カーソル移動キーの操作に応じてディスプレイ６上でカーソル１６を上下左右に移動させる（ステップｂ７）。
【００９５】
ユーザは電波強度の測定対象とする家屋のフロア図面２２をディスプレイ６上で参照しつつ手動操作盤５のカーソル移動キーを操作し、電波強度を測定すべき画像上の測定目標位置にカーソル１６を移動させた後、手動操作盤５のプロット指令キーを操作して、測定目標位置設定指令をマイクロプロセッサ１１に入力する。
【００９６】
測定位置教示手段として機能するマイクロプロセッサ１１はステップｂ８の判定処理で測定目標位置設定指令の入力を検知し、画像上のカーソル位置に対応させて画像データそれ自体に測定点マーカーを書き込み（ステップｂ９）、測定点マーカーを書き込んだ画像を不揮発性メモリ１３に上書きして記憶させる（ステップｂ１０）。
【００９７】
前述した実施形態との相違は、画像上のカーソル位置に対応させて画像データそれ自体に測定点マーカーを書き込むのみで、測定目標位置データを数値として不揮発性メモリ１３に記憶させる必要がない点である。画像上に記録される測定点マーカーは画像データの一部であって、数値を有するデータとして不揮発性メモリ１３に記憶されるものではないが、広い意味での測定目標位置データである。
【００９８】
ユーザは、前記と同様にしてステップｂ６〜ステップｂ１０の処理をマイクロプロセッサ１１に繰り返し実行させることで、必要な数の測定点マーカーを選択中のフロア図面に書き込んで不揮発性メモリ１３に記憶させることができる。図１１ではフロア図面２２に４つの測定点マーカーＰ１（Ｘ１，Ｙ１），Ｐ２（Ｘ２，Ｙ２），Ｐ３（Ｘ３，Ｙ３），Ｐ４（Ｘ４，Ｙ４）を書き込んだ場合について例示している。
【００９９】
ユーザは、必要な数の測定点マーカーを教示操作によって選択中のフロア図面に書き込んで不揮発性メモリ１３に記憶させた後、手動操作盤５の終了キーを操作して、教示モードの終了をマイクロプロセッサ１１に対して宣言し、ステップｂ１１の判定処理で終了キーの操作を検知したマイクロプロセッサ１１は、教示モードの処理を終え、ステップａ１〜ステップａ４の判定処理とステップａ５の通常処理のみを繰り返し実行する初期の待機状態に復帰する。
【０１００】
その後、ユーザは、この携帯電話１を携えて電波強度の測定対象とする家屋に赴く。
【０１０１】
そして、測定対象とする家屋に到着したユーザが、手動操作盤５のファンクションキーの操作によって測定モード選択指令をマイクロプロセッサ１１に入力すると、マイクロプロセッサ１１はステップａ３の判定処理で測定モード選択指令の入力を検知し、測定モードの処理に移行する。
【０１０２】
測定モードの処理に移行したマイクロプロセッサ１１は、まず、不揮発性メモリ１３に記憶されている図面名の一覧をディスプレイ６上に表示し（ステップｂ１２）、ユーザによる手動操作盤５の操作によって何れかの図面名が選択されるのを待つ待機状態に入る（ステップｂ１３）。
【０１０３】
そして、ユーザが手動操作盤５を操作して電波強度の測定対象とする家屋、つまり、現時点で目の前にしている家屋に対応した図面名を選択すると、マイクロプロセッサ１１はステップｂ１３の判定処理で図面名の選択操作を検知し、測定実行手段として機能するマイクロプロセッサ１１が、不揮発性メモリ１３から選択中の図面名に対応するフロア図面の画像データを読み出し、例えば、図１に示されるようにしてディスプレイ６上に測定点マーカーやカーソル１６と共に表示する（ステップｂ１４）。
【０１０４】
そして、マイクロプロセッサ１１は、選択中の図面名に対応して記憶された測定条件と測定目標位置データを不揮発性メモリ１３から読み出し（ステップｂ１５）、手動操作盤５の測定開始キーが操作されるのを待つ待機状態に入る（ステップｂ１６）。
【０１０５】
その後、ユーザが手動操作盤５の測定開始キーを操作して測定の開始をマイクロプロセッサ１１に宣言すると、マイクロプロセッサ１１はステップｂ１６の判定処理で測定開始キーの操作を検知し、ステップｂ１５の処理で読み出された測定条件に従って送受信部１５を駆動制御して携帯電話１からの発呼を開始する（ステップｂ１７）。
【０１０６】
次いで、マイクロプロセッサ１１は、手動操作盤５のカーソル移動キーが操作されているか否かを判定し（ステップｂ１８）、カーソル移動キーが操作されていなければ、更に、測定の実行を指示する測定実行フラグＦがセットされているか否かを判定する（ステップｂ２１）。そして、測定実行フラグＦがセットされていなければ、更に、手動操作盤５の終了キーが操作されているか否かを判定し（ステップｂ２７）、何れのキーも操作されていなければ、ステップｂ１８，ステップｂ２１，ステップｂ２７の判定処理のみを繰り返し実行して、何れかのキーが操作されるのを待機する。
【０１０７】
ユーザは電波強度の測定対象とする家屋のフロア図面２２の画像と当該画像上の測定点マーカーをディスプレイ６上で参照し、測定目標位置を連絡するようにして、例えば、図１１中のＰ１，Ｐ２，Ｐ３，Ｐ４を結ぶ経路に沿ってゆっくりと移動し、その都度、手動操作盤５のカーソル移動キーを操作して、自分の移動経路に沿ってディスプレイ６上でカーソル１６を移動させる。
【０１０８】
カーソル移動キーの操作はステップｂ１８の判定処理で検知され、測定実行手段として機能するマイクロプロセッサ１１が、カーソル移動キーの操作に応じてディスプレイ６上でカーソル１６を上下左右に移動させ（ステップｂ１９）、その都度、測定の実行を指示する測定実行フラグＦをセットする（ステップｂ２０）。
【０１０９】
カーソル移動キーの操作すなわちカーソル１６の移動に伴って測定実行フラグＦがセットされたことがステップｂ２１の判定処理で確認されると、測定実行手段として機能するマイクロプロセッサ１１は、現時点で電波強度測定部１７が検知している電波の受信強度を読み込み（ステップｂ２２）、カーソル１６の現在位置に対応するフロア図面上の位置を移動経路点データとし、この移動経路点データと現時点における電波の受信強度とを対応させて不揮発性メモリ１３に記憶させると共に（ステップｂ２３）、画像上のカーソル位置に対応させて画像データそれ自体に経路マーカーを書き込み（ステップｂ２４）、経路マーカーを書き込んだ画像を不揮発性メモリ１３に上書きして記憶させた後（ステップｂ２５）、測定実行フラグＦをリセットして（ステップｂ２６）、ステップｂ１８，ステップｂ２１，ステップｂ２７の判定処理のみを繰り返し実行する待機状態に入る。
【０１１０】
カーソル移動キーの操作によるカーソル１６の移動が検知されて測定実行フラグＦがセットされる度にステップｂ２２〜ステップｂ２５の処理が繰り返し実行される結果、測定目標位置Ｐ１，Ｐ２，Ｐ３，Ｐ４を結ぶ経路をカーソル移動キーの操作に応じた適当な間隔で補間するようなかたちで、何点かの移動経路点毎に電波強度を対応させて不揮発性メモリ１３に記憶させることができる。
【０１１１】
但し、最初に述べた実施形態の場合と同様、カーソル１６の位置はＧＰＳ情報のようにユーザの現在位置それ自体を表すものではなく、飽くまでも、ユーザが正しいと信じているユーザの現在位置を手動操作によって設定したものに過ぎないので、ユーザは、家屋内の状況を適切に判断してディスプレイ６上のフロア図面２２の画像と見比べ、本来の測定目標位置を連絡するようなかたちで経路に沿ってゆっくりと移動し、その都度、手動操作盤５のカーソル移動キーを操作して、自分の移動経路に沿ってディスプレイ６上でカーソル１６を的確に移動させる必要がある。あるいは、電子コンパスと加速度センサを携帯電話１に追加配備し携帯電話１の移動経路を自動検知してディスプレイ６上でカーソル１６を移動させるようにしてもよく、その場合は、ステップｂ１８の処理で測定開始キーを操作する際にユーザが携帯電話１を持って何れかの測定点たとえばＰ１に移動してカーソル１６をディスプレイ６の画像のＰ１位置に合わせることで携帯電話１の座標系の零点規制を行ってから電子コンパスと加速度センサを起動し、ステップｂ１８〜ステップｂ２１の処理に代えて、零点規制された位置たとえばＰ１を原点とする携帯電話１の移動位置の読み出しとカーソル１６の移動位置の更新表示を行なうようにし、ステップｂ２２〜ステップｂ２５の処理は所定のサンプリング周期毎に行なうか、あるいは、携帯電話１の移動変移が予め決められた閾値たとえば１メートルを超える度に繰り返し実行するようにする。
【０１１２】
電波強度の測定を終えたユーザは手動操作盤５の終了キーを操作して測定モードの終了をマイクロプロセッサ１１に対して宣言し、ステップｂ２７の判定処理で終了キーの操作を検知したマイクロプロセッサ１１は、測定モードの処理を終えてステップａ１〜ステップａ４の判定処理とステップａ５の通常処理のみを繰り返し実行する初期の待機状態に復帰する。
【０１１３】
最終的に、携帯電話１の不揮発性メモリ１３に記憶された各図面名毎の移動経路点データと電波強度との関係を入出力インターフェイス２０あるいはカードスロット１９に接続されたＳＤメモリカードもしくは携帯電話１が有するパケット通信機能を利用して汎用の無線品質解析ツールに読み込ませ、従来と同様に、無線品質解析ツール側の処理で、測定目標位置と電波強度との関係に基いてフロア図面２２上あるいは他の図面上に電界強度分布を作成させる。
前述した実施形態に比べて電波強度を測定した測定位置つまり移動経路点が稠密になるので、厳密な電界強度分布を作成することができる。あるいは、電波強度を測定した測定位置が稠密となることを利用し、測定値そのものを利用して電界強度分布を作成するといったことも可能である。
【０１１４】
この実施形態の携帯電話１においては、携帯電話１のみを利用して移動経路点の位置データと電波強度との対応関係を確認することが可能である。
【０１１５】
移動経路点の位置データと電波強度との対応関係を携帯電話１上で確認する場合、ユーザは、手動操作盤５のファンクションキーの操作によってモニタモード選択指令をマイクロプロセッサ１１に入力する。
【０１１６】
マイクロプロセッサ１１はステップａ４の判定処理でモニタモード選択指令の入力を検知してモニタモードの処理に移行する。
【０１１７】
モニタモードの処理に移行したマイクロプロセッサ１１は、まず、不揮発性メモリ１３に記憶されている図面名の一覧をディスプレイ６上に表示し（ステップｂ２８）、ユーザによる手動操作盤５の操作によって何れかの図面名が選択されるのを待つ待機状態に入る（ステップｂ２９）。
【０１１８】
そして、ユーザが手動操作盤５を操作し、移動経路点の位置データと電波強度との対応関係を確認しようとする家屋に対応したフロア図面の図面名を選択すると、マイクロプロセッサ１１はステップｂ２９の判定処理で図面名の選択操作を検知し、選択中の図面名に対応するフロア図面の画像データと選択中の図面名に対応して記憶された移動経路点の位置データを不揮発性メモリ１３から読み出して、フロア図面の画像をディスプレイ６上に経路マーカーやカーソル１６と共に表示する（ステップｂ３０）。
【０１１９】
次いで、マイクロプロセッサ１１は、手動操作盤５のカーソル移動キーが操作されているか否かを判定し（ステップｂ３１）、カーソル移動キーが操作されていなければ、更に、手動操作盤５の終了キーが操作されているか否かを判定し（ステップｂ３５）、何れのキーも操作されていなければ、ステップｂ３１，ステップｂ３５の判定処理のみを繰り返し実行して、何れかのキーが操作されるのを待機する。
【０１２０】
ここで、ユーザが手動操作盤５のカーソル移動キーを操作すると、マイクロプロセッサ１１がステップｂ３１の判定処理でカーソル移動キーの操作を検知し、カーソル移動キーの操作に応じてディスプレイ６上でカーソル１６を上下左右に移動させ（ステップｂ３２）、カーソル１６の移動の度に、カーソル１６の現在位置の近傍にステップｂ３０の処理で読み出された何れかの移動経路点の経路マーカーが存在するか否かを判定する（ステップｂ３３）。
【０１２１】
そして、カーソル１６の現在位置の近傍に何れかの移動経路点の経路マーカーが存在すれば、マイクロプロセッサ１１は、この移動経路点の位置データに対応して記憶されている電波強度のデータを不揮発性メモリ１３から読み出して、ディスプレイ６上に数値情報として表示する（ステップｂ３４）。
【０１２２】
ユーザは、ディスプレイ６上でカーソル１６を様々な位置に移動させることで、カーソル現在位置に直近する移動経路点の位置データに対応した電波強度の測定値をディスプレイ６上に表示させて適宜に参照することが可能である。
【０１２３】
そして、ユーザが手動操作盤５の終了キーを操作すると、マイクロプロセッサ１１はステップｂ３５の判定処理で終了キーの操作を検知し、モニタモードの処理を終えて、ステップａ１〜ステップａ４の判定処理とステップａ５の通常処理のみを繰り返し実行する初期の待機状態に復帰する。
【０１２４】
以上に述べた通り、この実施形態においては、電波強度の測定対象とする家屋のフロア図面２２の画像データに教示操作によって測定点マーカーを書き込み、この画像データを不揮発性メモリ１３に保存した携帯電話１を持って電波強度の測定対象とする家屋に赴いたユーザを、携帯電話１のディスプレイ６に表示されるフロア図面２２の画像と測定目標位置を表す測定点マーカーで適切な測定目標位置に導くようにしているので、ユーザは地図や図面等を持ち歩かなくても測定目標位置を的確に把握することができる。
【０１２５】
また、実際の測定に際しては、携帯電話１の手動操作盤５を操作してユーザの移動軌跡に沿うようにディスプレイ６上でカーソル１６を移動させ、カーソル１６の移動の度に移動経路点すなわちカーソル現在位置に対応させて電波強度を不揮発性メモリ１３に記憶させるようにしているので、ＧＰＳ位置情報を使用しなくても、測定目標位置を結ぶ経路をカーソル移動キーの操作に応じた適当な間隔で補間するようなかたちで、何点かの移動経路点毎に電波強度を対応させて記憶させることができる。
【０１２６】
そして、何れの実施形態においても、一般的な携帯電話の構成を利用して屋内無線品質測定装置の機能を組み込むようにしているので、格別な構造を追加して実装する必要がなく、開発コストや製造コストの削減の面で有利である。また、携帯電話１のマイクロプロセッサ１１で発呼や電波強度測定部１７を制御する構成であるので、携帯電話１を単なる発呼手段として利用する従来型の屋内無線品質測定装置とは相違し、発呼手段となる携帯電話を制御する汎用型パソコンや格別な電波強度測定器を用いなくても受信強度の測定ができ、小型軽量の測定装置とすることができる。
【０１２７】
また、携帯電話１のＣＣＤカメラ９等を利用して測定対象となる家屋のフロア図面の画像を不揮発性メモリ１３に取り込み、フロア図面の画像をディスプレイ６上に表示する機能を有しているので、公共の地図サービス等が利用できなくても、家屋内における電波の受信強度を容易に測定することができる。
【０１２８】
しかも、携帯電話１のディスプレイ６上にフロア図面の画像とカーソル１６を同時に表示し、カーソル１６を移動させて画像上の位置を指定することにより、測定位置に対応させて電波の受信強度を記憶させるようにしているため、ＧＰＳ信号が届きにくい屋内においても、測定位置と測定結果とを的確に対応させて記憶することができる。
【０１２９】
また、携帯電話１の不揮発性メモリ１３に蓄積された測定データを携帯電話１のパケット通信や入出力インターフェイス２０さらにはカードスロット２０に着脱自在に装着されるＳＤメモリカード等の外部メモリを介して出力できるので、汎用の無線品質解析ツールへのデータの取り込みを容易に行うことができる。
【図面の簡単な説明】
【０１３０】
【図１】本発明の屋内無線品質測定装置の機能を実装した一実施形態の携帯電話の外観について示した斜視図である（実施例１，実施例２）。
【図２】同実施形態の携帯電話の構成の概略を示したブロック図である（実施例１，実施例２）。
【図３】同実施形態の携帯電話を屋内無線品質測定装置として作動させた場合のマイクロプロセッサの処理動作の概略について示したフローチャートである（実施例１，実施例２）。
【図４】同実施形態のマイクロプロセッサの処理動作の概略について示したフローチャートの続きである（実施例１，実施例２）。
【図５】同実施形態のマイクロプロセッサの処理動作の概略について示したフローチャートの続きである（実施例１）。
【図６】同実施形態のマイクロプロセッサの処理動作の概略について示したフローチャートの続きである（実施例１）。
【図７】同実施形態のマイクロプロセッサの処理動作の概略について示したフローチャートの続きである（実施例１）。
【図８】本発明の屋内無線品質測定装置の機能を実装した他の一実施形態の携帯電話におけるマイクロプロセッサの処理動作の概略について示したフローチャートである（実施例２）。
【図９】同実施形態のマイクロプロセッサの処理動作の概略について示したフローチャートの続きである（実施例２）。
【図１０】同実施形態のマイクロプロセッサの処理動作の概略について示したフローチャートの続きである（実施例２）。
【図１１】電波強度の測定対象とする家屋のフロア図面の一例を示した図である（実施例１，実施例２）。
【図１２】地図サービスやＧＰＳ情報を利用した従来型の屋内無線品質測定装置について簡略化して示したブロック図である。
【符号の説明】
【０１３１】
１  屋内無線品質測定装置の機能を実装した携帯電話
２  主筐体
３  副筐体
４  マイク
５  手動操作盤
６  ディスプレイ
７  スピーカ
８  アンテナ
９  ＣＣＤカメラ（画像データ入力手段）
１０  カメラ制御部
１１  マイクロプロセッサ（測定位置教示手段，測定実行手段）
１２  画像処理部
１３  不揮発性メモリ
１４  音声処理部
１５  送受信部
１６  カーソル
１７  電波強度測定部
１８  ＲＯＭ
１９  カードスロット
２０  入出力インターフェイス（データ入力用のインターフェイス）
２１  ＲＡＭ
２２  フロア図面
１００  屋内無線品質測定装置
１０１  ボタン部
１０２  ＧＰＳモジュール部
１０３  電界強度測定部
１０４  メモリ部
１０５  制御部
１０６  アンテナ部
【図１】
2008244891.tif 000003
【図２】
2008244891.tif 000004
【図３】
2008244891.tif 000005
【図４】
2008244891.tif 000006
【図５】
2008244891.tif 000007
【図６】
2008244891.tif 000008
【図７】
2008244891.tif 000009
【図８】
2008244891.tif 000010
【図９】
2008244891.tif 000011
【図１０】
2008244891.tif 000012
【図１１】
2008244891.tif 000013
【図１２】
2008244891.tif 000014